(57)【特許請求の範囲】
【請求項１】
走行車に連結される本体部と、
この本体部に回動可能に設けられ、回動により折畳非作業状態および展開作業状態に選択的に切り換えられる折畳作業部とを具備し、
前記本体部のみで作業する場合と、前記本体部と前記展開作業状態の折畳作業部とで作業する場合とがある農作業機であって、
前記本体部は、
機体と、
この機体に設けられ、耕耘作業をする耕耘体と、
前記機体に設けられ、第１整地板およびこの第１整地板の後端部に回動可能に取り付けられた第２整地板を有し、前記耕耘体の後方で整地作業をする整地体とを備え、
前記折畳作業部は、
折畳機体と、
この折畳機体に設けられ、耕耘作業をする折畳耕耘体と、
前記折畳機体に設けられ、第１延長整地板およびこの第１延長整地板の後端部に回動可能に取り付けられた第２延長整地板を有し、前記折畳耕耘体の後方で整地作業をする折畳整地体とを備え、
前記折畳整地体の第１延長整地板および第２延長整地板の各々は、
側板部およびこの側板部から突出し互いに離間対向する対をなす対向板部のみにて構成された断面略コ字状の一方側嵌合部を有し、
前記整地体の第１整地板および第２整地板の各々は、
前記折畳作業部の展開作業状態時に、前記一方側嵌合部内に入り込んでこの一方側嵌合部と嵌合する他方側嵌合部を有する
ことを特徴とする農作業機。
【請求項２】
一方側嵌合部の対向板部は、側板部に対して直交状の嵌合板部分と、互いの離間距離が突出方向に向って徐々に増大するように前記嵌合板部分に対して傾斜状の案内板部分とを有する
ことを特徴とする請求項１記載の農作業機。
【請求項３】
一方側嵌合部は、１枚の板材が折り曲げられて形成されている
ことを特徴とする請求項１または２記載の農作業機。
【請求項４】
一方側嵌合部と他方側嵌合部とが互いに嵌合した状態で、前記一方側嵌合部の側板部と前記他方側嵌合部との間に間隙が存在する
ことを特徴とする請求項１ないし３のいずれか一記載の農作業機。
【発明の詳細な説明】
【技術分野】
【０００１】
本発明は、侵入物が障害となって一方側嵌合部と他方側嵌合部との嵌合に不具合が生じるようなことがなく、折畳作業部を所望の展開作業状態に適切に切り換えることができる農作業機に関するものである。
【背景技術】
【０００２】
従来、例えば下記の特許文献１に記載された農作業機が知られている。
【０００３】
この従来の農作業機は、走行車であるトラクタに連結される本体部と、この本体部に回動可能に設けられ回動により折畳非作業状態および展開作業状態に選択的に切り換えられる左右の折畳作業部とを具備している。
【０００４】
また、本体部は、機体と、この機体に設けられ耕耘作業をする耕耘体と、機体に設けられ耕耘体の後方で整地作業をする整地体とを備えている。
【０００５】
さらに、折畳作業部は、折畳機体と、この折畳機体に設けられ耕耘作業をする折畳耕耘体と、折畳機体に設けられ折畳耕耘体の後方で整地作業をする折畳整地体とを備えている。
【０００６】
そして、折畳作業部の折畳整地体は側板部およびこの側板部から突出する略４角筒状の筒状部にて構成された箱状の一方側嵌合凹部を有し、本体部の整地体は折畳作業部の展開作業状態時に一方側嵌合凹部内に入り込んでこの一方側嵌合部と嵌合する他方嵌合凸部を有している。
【特許文献１】特開２００５−１１７９９２号公報（図３）
【発明の開示】
【発明が解決しようとする課題】
【０００７】
しかしながら、上記従来の農作業機では、例えば箱状の一方側嵌合凹部内に泥土、稈等が侵入した場合にその侵入物が障害となって一方側嵌合凹部と他方側嵌合凸部との嵌合に不具合が生じ、折畳作業部が展開作業状態にならないおそれがある。
【０００８】
本発明は、このような点に鑑みなされたもので、侵入物が障害となって一方側嵌合部と他方側嵌合部との嵌合に不具合が生じるようなことがなく、折畳作業部を所望の展開作業状態に適切に切り換えることができる農作業機を提供することを目的とする。
【課題を解決するための手段】
【０００９】
請求項１記載の農作業機は、走行車に連結される本体部と、この本体部に回動可能に設けられ、回動により折畳非作業状態および展開作業状態に選択的に切り換えられる折畳作業部とを具備し、前記本体部のみで作業する場合と、前記本体部と前記展開作業状態の折畳作業部とで作業する場合とがある農作業機であって、前記本体部は、機体と、この機体に設けられ、耕耘作業をする耕耘体と、前記機体に設けられ、第１整地板およびこの第１整地板の後端部に回動可能に取り付けられた第２整地板を有し、前記耕耘体の後方で整地作業をする整地体とを備え、前記折畳作業部は、折畳機体と、この折畳機体に設けられ、耕耘作業をする折畳耕耘体と、前記折畳機体に設けられ、第１延長整地板およびこの第１延長整地板の後端部に回動可能に取り付けられた第２延長整地板を有し、前記折畳耕耘体の後方で整地作業をする折畳整地体とを備え、前記折畳整地体の第１延長整地板および第２延長整地板の各々は、側板部およびこの側板部から突出し互いに離間対向する対をなす対向板部のみにて構成された断面略コ字状の一方側嵌合部を有し、前記整地体の第１整地板および第２整地板の各々は、前記折畳作業部の展開作業状態時に、前記一方側嵌合部内に入り込んでこの一方側嵌合部と嵌合する他方側嵌合部を有するものである。
【００１０】
請求項２記載の農作業機は、請求項１記載の農作業機において、一方側嵌合部の対向板部は、側板部に対して直交状の嵌合板部分と、互いの離間距離が突出方向に向って徐々に増大するように前記嵌合板部分に対して傾斜状の案内板部分とを有するものである。
【００１１】
請求項３記載の農作業機は、請求項１または２載の農作業機において、一方側嵌合部は、１枚の板材が折り曲げられて形成されているものである。
【００１２】
請求項４記載の農作業機は、請求項１ないし３のいずれか一記載の農作業機において、一方側嵌合部と他方側嵌合部とが互いに嵌合した状態で、前記一方側嵌合部の側板部と前記他方側嵌合部との間に間隙が存在するものである。
【発明の効果】
【００１３】
請求項１に係る発明によれば、断面略コ字状の一方側嵌合部内に例えば泥土、稈等が侵入しても、その侵入物を一方側嵌合部内から容易に排出できるため、侵入物が障害となって一方側嵌合部と他方側嵌合部との嵌合に不具合が生じるようなことがなく、折畳作業部を所望の展開作業状態に適切に切り換えることができる。
【００１４】
請求項２に係る発明によれば、他方側嵌合部を案内板部分にて嵌合板部分側へ案内することにより、他方側嵌合部を一方側嵌合部内にスムーズに入り込ませることができる。
【００１５】
請求項３に係る発明によれば、一方側嵌合部を１枚の板材を折り曲げて形成することにより、一方側嵌合部をきわめて容易にかつ精度良く形成できる。
【００１６】
請求項４に係る発明によれば、一方側嵌合部と他方側嵌合部とが互いに嵌合した状態で一方側嵌合部の側板部と他方側嵌合部との間に間隙が存在するため、一方側嵌合部と他方側嵌合部との嵌合の不具合を効果的に防止できる。
【発明を実施するための最良の形態】
【００１７】
本発明の農作業機の関連技術を図面を参照して説明する。
【００１８】
図１ないし図３において、１は農作業機で、この農作業機１は、例えば走行車であるトラクタ（図示せず）の後部に連結されトラクタの走行により圃場上を前方に移動しながら代掻き作業等をする３分割折畳式の代掻機である。
【００１９】
農作業機１は、トラクタの後部の３点リンク（作業機昇降支持装置）に連結され、トラクタからの動力によって耕耘整地作業をする左右方向長手状の本体部である中央作業部２を備えている。
【００２０】
また、農作業機１は、中央作業部２の左右方向両端部に回動支点である前後方向の折畳用軸（回動中心軸線Ｘ）４を中心として上下方向に回動可能に設けられ、その回動により折畳非作業状態および展開作業状態に選択的に切り換えられ、展開作業状態時には中央作業部２からの動力によって耕耘整地作業をする左右方向長手状の左右の折畳作業部である延長作業部３を備えている。
【００２１】
両延長作業部３は左右対称の構成で中央作業部２に対して回動可能なもので、各延長作業部３は、折畳用軸４を中心とする一方向（展開方向）への所定角度、例えば略１８０度回動により中央作業部２の外側方に位置する展開作業状態になり、この展開作業状態に図示しないロック手段によってロックされる。また、各延長作業部３は、折畳用軸４を中心とする他方向（折畳方向）への所定角度、例えば略１８０度回動により中央作業部２の上方に位置する折畳非作業状態になり、この折畳非作業状態に図示しないロック手段にてロックされる。なお、延長作業部３の回動角度は１８０度以外で、例えば１５０度、９０度等でもよい。
【００２２】
中央作業部２は、トラクタの後部の３点リンクに連結される左右方向長手状の機体６と、機体６に回転可能に設けられトラクタからの動力によって所定方向に回転しながら耕耘作業をする耕耘体７と、機体６の後端部に上下方向に回動可能に設けられ耕耘体７の後方で整地作業をする整地体８とを有している。
【００２３】
機体６は、左右方向に細長い円筒状のフレーム部11を有し、このフレーム部11の長手方向中央部にはギアボックス部12が連結され、このギアボックス部12から入力軸13が前方に向って突出している。この入力軸13はトラクタのＰＴＯ軸（図示せず）にユニバーサルジョイントおよび伝動シャフト等を介して接続される。
【００２４】
また、フレーム部11の長手方向一端部には軸支持部であるチェーンケース等の伝動ケース部15の上部が取り付けられ、フレーム部11の長手方向他端部には伝動ケース部15と離間対向する軸支持部である板状のブラケット部16の上部が取り付けられている。さらに、機体６は、耕耘体７の上方を覆う耕耘カバー部17を有し、この耕耘カバー部17の後端部に整地体８の前端側が回動可能に取り付けられている。
【００２５】
耕耘体７は、互いに離間対向する伝動ケース部15の下部とブラケット部16の下部とにて回転可能に支持され、入力軸13に接続しフレーム部11内および伝動ケース部15内に収納した図示しない伝動手段から動力を受けて駆動回転する左右方向の耕耘軸である回転軸21を有している。
【００２６】
すなわち例えば回転軸21の軸方向一端部は伝動ケース部15の下部にて回転可能に支持され、この回転軸21の軸方向一端部のうち伝動ケース部15の外面から外方に向って突出する部分に一方側係合体（中央側クラッチ爪）22が取り付けられている。また同様に、回転軸21の軸方向他端部はブラケット部16の下部にて回転可能に支持され、この回転軸21の軸方向他端部のうちブラケット部16の外面から外方に向って突出する部分に一方側係合体（中央側クラッチ爪）22が取り付けられている。一方側係合体22は、周方向に並ぶ複数の凸状の係合部22aを有している。
【００２７】
また、回転軸21の爪ホルダ部21aには、この回転軸21とともに回転して耕耘作業をする複数の耕耘爪（図示せず）が取り付けられている。複数の耕耘爪は、正面視略く字状のもので、回転軸21の軸方向一端側から他端側にわたって等間隔で配置されている。そして、複数の耕耘爪のうち伝動ケース部に最も近い耕耘爪の先端部は回転軸21の回転時に伝動ケース部15の内面近傍位置を移動し、複数の耕耘爪のうちブラケット部16に最も近い耕耘爪の先端部は回転軸21の回転時にブラケット部16の内面近傍位置を移動する。
【００２８】
整地体８は、機体６の耕耘カバー部17の後端部に左右水平方向の軸27を中心として上下方向に回動可能に取り付けられた左右方向長手状の第１整地体である第１整地板（均平板）25を有している。軸27は耕耘カバー部17に形成された長孔28内に挿通されている。耕耘カバー部17の後端部と第１整地板25の前端部とは弾性板30にて連結されている。また、第１整地板25の後端部には、左右方向長手状の第２整地体である第２整地板（レーキ）26が左右水平方向の軸29を中心として上下方向に回動可能に取り付けられている。
【００２９】
そして、第１整地板25は、鉛直面に沿った側板部31およびこの側板部31の上下端部から外側方に向って突出し互いに離間対向する１対の対向板部32のみにて構成された断面略コ字状で前後面開口状の一方側嵌合部33を左右方向両端部に有し、この一方側嵌合部33は例えば金属製の１枚の板材が曲げ加工により折り曲げられて一体に形成されている。
【００３０】
すなわち例えば第１整地板25は、前高後低の傾斜姿勢で整地作業をする左右方向長手状の本体板部34を有し、この本体板部34の左右方向両端部に側板部31が鉛直面状に連結固定され、この側板部31の上端縁部の一部および下端縁部の一部から対向板部32がそれぞれ外側方に向って一体に突出している。そして、各対向板部32は、側板部31に対して直交状の嵌合板部分35と、互いの離間距離が突出方向に向って徐々に増大するように嵌合板部分35に対して傾斜状の案内板部分36とを有し、上下の両案内板部分36は互いの離間距離が突出方向（外側方）に向って徐々に増大する略ハ字状に配設されている。
【００３１】
また同様に、第２整地板26は、鉛直面に沿った側板部41およびこの側板部41の上下端部から外側方に向って突出し互いに離間対向する１対の対向板部42のみにて構成された断面略コ字状で前後面開口状の一方側嵌合部43を左右方向両端部に有し、この一方側嵌合部43は例えば金属製の１枚の板材が曲げ加工により折り曲げられて一体に形成されている。
【００３２】
すなわち例えば第２整地板26は、水平面に沿った水平姿勢で整地作業をする左右方向長手状の本体板部44を有し、この本体板部44の左右方向両端部に側板部41が鉛直面状に連結固定され、この側板部41の上端縁部の一部および下端縁部の一部から対向板部42がそれぞれ外側方に向って一体に突出している。そして、各対向板部42は、側板部41に対して直交状の嵌合板部分45と、互いの離間距離が突出方向に向って徐々に増大するように嵌合板部分45に対して傾斜状の案内板部分46とを有し、上下の両案内板部分46は互いの離間距離が突出方向（外側方）に向って徐々に増大する略ハ字状に配設されている。
【００３３】
延長作業部３は、中央作業部２の機体６のフレーム部11の長手方向両端部に折畳用軸４を介してこの折畳用軸４を中心として上下方向に回動可能に取り付けられた折畳機体である延長機体51と、延長機体51に回転可能に設けられ中央作業部２の耕耘体７からの動力によって所定方向に回転して耕耘作業をする折畳耕耘体である延長耕耘体52と、延長機体51の後端部に上下方向に回動可能に設けられ中央作業部２の整地体８と連結された状態となって延長耕耘体52の後方で整地作業をする折畳整地体である延長整地体53とを有している。
【００３４】
延長機体51は、互いに離間対向する平板状の内側板（内カバー側板）55および平板状の外側板（外がバー側板）56を左右両側部に有し、これら内側板55および外側板56の上部間に延長耕耘体52の上方部を覆う耕耘カバー部57が設けられている。なお、延長作業部３の展開作業状態時において、内側板55は中央作業部２の伝動ケース部15或いはブラケット部16と近接対向する側板で、外側板56は農作業機１の左右方向端部に位置する側板である。
【００３５】
また、内側板55の下端縁部は略円弧状に形成され、この略円弧状の下端縁部には軸受板59が外側板56側に向って突出状に設けられている。すなわち内側板55の下端縁部から軸受板59が外側板56側および下方側に向って突出している。そして、内側板55側の軸受板59と外側板56の下部とにて、延長耕耘体52の耕耘軸である回転軸61の軸方向両端部が回転可能に支持されている。
【００３６】
すなわち例えば回転軸61の軸方向一端部は軸受板59にて回転可能に支持され、この回転軸61の軸方向一端部のうち軸受板59の外面（中央作業部２と対向する側の面）から外方に向って突出する部分に他方側係合体（折畳側クラッチ爪）62が取り付けられている。他方側係合体62は、内側板55より内方側の位置に配設されており、内側板55より中央作業部側には突出していない。この他方側係合体62は、延長作業部３の展開作業状態時に中央作業部２の一方側係合体22と係合して耕耘体７の回転軸21から延長耕耘体52の回転軸61へ動力を伝達するもので、一方側係合体22の周方向に隣り合う係合部22a間に入り込む複数の凸状の係合部62aを有している。なお、回転軸61の軸方向他端部は外側板56の下部にて回転可能に支持されている。
【００３７】
また、回転軸61の爪ホルダ部61aには、延長作業部３の展開作業状態時に回転軸61とともに回転して耕耘作業をする複数の耕耘爪（図示せず）が取り付けられている。複数の耕耘爪は、正面視略く字状のもので、回転軸61の軸方向一端側から他端側にわたって等間隔で配置されている。
【００３８】
そして、複数の耕耘爪中の少なくとも１つの耕耘爪、すなわち例えば複数の耕耘爪のうち軸受板（内側板55）59に最も近い耕耘爪の先端部は、延長作業部３の展開作業状態時において回転軸の回転時に、軸受板59の外周側位置を移動するとともに内側板55の内面近傍位置を移動する。
【００３９】
延長整地体53は、延長機体51の耕耘カバー部57の後端部に左右水平方向の軸73を中心として上下方向に回動可能に取り付けられた左右方向長手状の第１延長整地体である第１延長整地板（延長均平板）71を有している。軸73は耕耘カバー部57に形成された長孔75内に挿通されている。耕耘カバー部57の後端部と第１延長整地板71の前端部とは弾性板76にて連結されている。また、第１延長整地板71の後端部には、左右方向長手状の第２延長整地体である第２延長整地板（延長レーキ）72が左右水平方向の軸74を中心として上下方向に回動可能に取り付けられている。
【００４０】
そして、第１延長整地板71は、延長作業部３の展開作業状態時に、第１整地板25の一方側嵌合部33内に入り込んでこの一方側嵌合部33と嵌合する他方側嵌合部77を有している。
【００４１】
すなわち例えば第１延長整地板71は、前高後低の傾斜姿勢で整地作業をする左右方向長手状の本体板部78を有し、この本体板部78の左右方向両端部に側板部79が鉛直面状に連結固定されている。そして、左右の両側板部79のうち、延長作業部３の展開作業状態時に中央作業部２の第１整地板25の側板部31と対向する内側の側板部79の一部にて、板状の他方側嵌合部77が構成されている。この他方側嵌合部77は、図３に示されるように、延長作業部３の展開作業状態時には、第１整地板25の一方側嵌合部33の両嵌合板部分35間に嵌まり込んでこれら両嵌合板部分35と嵌合し、かつ側板部31と接触した状態となる。このため、第１整地板25と第１延長整地板71とは互いに連結され、これら第１整地板25および第１延長整地板71は一体となって機体６および延長機体51に対して上下方向に回動しながら整地作業をする。
【００４２】
また同様に、第２延長整地板72は、延長作業部３の展開作業状態時に、第２整地板26の一方側嵌合部43内に入り込んでこの一方側嵌合部43と嵌合する他方側嵌合部81を有している。
【００４３】
すなわち例えば第２延長整地板72は、水平面に沿った水平姿勢で整地作業をする左右方向長手状の本体板部82を有し、この本体板部82の左右方向両端部に側板部83が鉛直面状に連結固定されている。そして、左右の両側板部83のうち、延長作業部３の展開作業状態時に中央作業部２の第２整地板26の側板部41と対向する内側の側板部41に取り付けられた略４角筒状の角筒部84にて、略４角筒状で角パイプ状の他方側嵌合部81が構成されている。この他方側嵌合部81は、延長作業部３の展開作業状態時には、第２整地板26の一方側嵌合部43の両嵌合板部分45間に嵌まり込んでこれら両嵌合板部分45と嵌合し、かつ側板部41と接触した状態となる。このため、第２整地板26と第２延長整地板72とは互いに連結され、これら第２整地板26および第２延長整地板72は一体となって機体６および延長機体51に対して上下方向に回動しながら整地作業をする。
【００４４】
なお、一方側嵌合部33の両嵌合板部分35間の距離は他方側嵌合部77の寸法Ａより若干長く、一方側嵌合部43の両嵌合板部分45間の距離は他方側嵌合部81の寸法Ｂより若干長くなっている。
【００４５】
また、農作業機１は、中央作業部２に対して延長作業部３を折畳用軸４を中心として上下方向に略１８０度回動させる左右の回動駆動手段（図示せず）を備えている。
【００４６】
次に、上記農作業機１の作用等を説明する。
【００４７】
例えば最大の作業幅で作業をする場合には、回動駆動手段からの動力によって左右の延長作業部３を中央作業部２に対して折畳用軸４を中心として回動させて展開作業状態に切り換える。
【００４８】
延長作業部３が展開作業状態になると、中央作業部２の耕耘体７の一方側係合体22と延長作業部３の延長耕耘体52の他方側係合体62とが互いに係合する。また同時に、中央作業部２の第１整地板25の一方側嵌合部33と延長作業部３の第１延長整地板71の他方側嵌合部77とが互いに嵌合するとともに、中央作業部２の第２整地板26の一方側嵌合部43と延長作業部３の第２延長整地板72の他方側嵌合部81とが互いに嵌合する。
【００４９】
この状態で、中央作業部２の耕耘体７の回転軸21が回転すると、この回転軸21の回転力が両係合体22，62を介して延長耕耘体52の回転軸61に伝わり、延長耕耘体52の回転軸61が回転し、その結果、耕耘体７の耕耘爪と延長耕耘体52の耕耘爪とにて耕耘作業が行われる。また、耕耘体７の後方位置および延長耕耘体52の後方位置で、互いに連結された第１整地板25および第１延長整地板71と互いに連結された第２整地板26および第２延長整地板72とにて整地作業が行われる。
【００５０】
なお、例えば中央作業部２のみで作業する場合、或いは中央作業部２と左右いずれかの延長作業部３とで作業をする場合には、回転駆動手段からの動力によって両延長作業部３或いは左右いずれかの延長作業部３を中央作業部２に対して折畳用軸４を中心として回動させて折畳非作業状態に切り換える。
【００５１】
そして、上記農作業機１によれば、中央作業部２の整地体８の断面略コ字状の一方側嵌合部33，43内に例えば泥土、稈等が侵入してもその侵入物を一方側嵌合部33，43内から容易に排出できるため、侵入物が障害となって中央作業部２の整地体８の一方側嵌合部33，43と延長作業部３の延長整地体53の他方側嵌合部77，81との嵌合に不具合が生じるようなことがなく、延長作業部３を中央作業部２に対して所定角度回動させて所望の展開作業状態に適切に切り換えることができる。
【００５２】
また、延長整地体53の他方側嵌合部77，81を案内板部分36，46にて嵌合板部分35，45側へ案内することにより、他方側嵌合部77，81を一方側嵌合部33，43内にスムーズに入り込ませて一方側嵌合部33，43と他方側嵌合部77，81とを互いに嵌合させることができる。
【００５３】
さらに、一方側嵌合部33，43は１枚の板材を折り曲げて形成するため、例えば側板部に別の板部材を溶接等して形成する場合に比べて、一方側嵌合部33，43をきわめて容易にかつ精度良く形成できる。
【００５４】
なお、上記関連技術では、延長作業部３の展開作業状態時に、他方側嵌合部77，81が側板部31，41と接触した状態で一方側嵌合部33，43の両嵌合板部分35，45と嵌合する構成について説明したが、例えば、図４に示すように、一方側嵌合部33，43の両嵌合板部分35，45と他方側嵌合部77，81とが互いに嵌合した状態で、一方側嵌合部33，43の側板部31，41と他方側嵌合部77，81の側板部31，41との対向部分との間に間隙90が存在するようにしてもよい。
【００５５】
この場合、例えば泥土、稈等が一方側嵌合部33，43内に多少残ったとしても、間隙90があるため、一方側嵌合部33，43と他方側嵌合部77，81との嵌合に不具合が生じず、延長作業部３を中央作業部２に対して所定角度回動させて所望の展開作業状態に適切に切り換えることができる。
【００５６】
ここで、本発明の一実施の形態について説明する。
【００５７】
本発明の一実施の形態に係る農作業機１は、前記関連技術とは異なり、延長作業部３の延長整地体53が断面略コ字状の一方側嵌合部33，43を有し、かつ中央作業部２の整地体８がその一方側嵌合部33，43と嵌合する他方側嵌合部77，81を有する構成である。
【００５８】
なお、例えば３分割折畳式の構成には限定されず、例えば中央作業部２と左右いずれかの延長作業部３とを備えた構成等でもよい。
【図面の簡単な説明】
【００５９】
【図１】本発明の関連技術に係る農作業機の側面図である。
【図２】同上農作業機の部分背面図である。
【図３】同上農作業機の第２整地板および第２延長整地板を省略した部分下面図である。
【図４】本発明の他の関連技術に係る農作業機の第２整地板および第２延長整地板を省略した部分下面図である。
【符号の説明】
【００６０】
１    農作業機
２    本体部である中央作業部
３    折畳作業部である延長作業部
６    機体
７    耕耘体
８    整地体
25 第１整地板
26 第２整地板
31，41    側板部
32，42    対向板部
33，43    一方側嵌合部
35，45    嵌合板部分
36，46    案内板部分
51    折畳機体である延長機体
52    折畳耕耘体である延長耕耘体
53    折畳整地体である延長整地体
71 第１延長整地板
72 第２延長整地板
77，81    他方側嵌合部
90    間隙
【図１】
0005148345.tif 000002
【図２】
0005148345.tif 000003
【図３】
0005148345.tif 000004
【図４】
0005148345.tif 000005